(57)【要約】【課題】軒樋の前耳部を取り付けための部分を兼用して落葉避け用のネットを取り付けることができる軒樋及び落葉避けの取り付け構造を提供する。【解決手段】軒樋１の前壁１ａの上端から後方に向けて突設した連出片２に断面略半円状の前耳部３を上面が平面部４になるように設ける。軒先に基部を固定した軒樋吊り具５の先端に設けた上を開口せる断面略半円状の前保持凹部６内に上記前耳部３を嵌合して収納すると共に前保持凹部６の後部の上端から前方に突設した押さえ突片７を前耳部の平面部４に係止して前耳部３を前保持凹部６に保持する。軒樋１の上面開口を覆う落ち葉避け用のネット８の前部の網目９に上記押さえ突片７を挿入して押さえ突片７にてネット８の前部を保持する。【選択図】        図１
2004232239.tif 000002
【特許請求の範囲】
【請求項１】
軒樋の前壁の上端から後方に向けて突設した連出片に断面略半円状の前耳部を上面が平面部になるように設け、軒先に基部を固定した軒樋吊り具の先端に設けた上を開口せる断面略半円状の前保持凹部内に上記前耳部を嵌合して収納すると共に前保持凹部の後部の上端から前方に突設した押さえ突片を前耳部の平面部に係止して前耳部を前保持凹部に保持し、軒樋の上面開口を覆う落ち葉避け用のネットの前部の網目に上記押さえ突片を挿入して押さえ突片にてネットの前部を保持したことを特徴とする軒樋及び落ち葉避け取り付け構造。
【請求項２】
押さえ突片をネットの網目に挿入するためにネットの前部を押さえ突片の先端と前耳部の平面部との間に挿通するとき押さえ突片の先端と前耳部の平面部との間にネットの線材の線径より広い隙間ができるように前耳部を弾性変形可能にしたことを特徴とする請求項１記載の軒樋及び落ち葉避けの取り付け構造。
【請求項３】
押さえ突片をネットの網目に挿入した状態でネットの線材が押さえ突片の先端手前の凹没部に収まり、押さえ突片の先端と前耳部の平面部との間の隙間がネットの線材の線径より小さくなるようにしたことを特徴とする請求項１または請求項２記載の軒樋及び落ち葉避けの取り付け構造。
【発明の詳細な説明】
【０００１】
【発明の属する技術分野】
本発明は、軒先に取り付けた軒樋吊り具に軒樋を吊り支持すると共に落葉避け用のネットを取り付ける構造に関するものである。
【０００２】
【従来の技術】
従来、軒先に固定した軒樋吊り具の下方に軒樋を配置し、軒樋の前耳部や後耳部を軒樋吊り具の前耳保持部や後耳保持部に嵌合して軒樋を吊り支持し、軒樋の上面開口を覆うように落ち葉避け用のネットを配置し、軒樋吊り具の前耳保持部の近傍に装着したクリップにて落ち葉避け用のネットを止めている（例えば、特許文献１、特許文献２参照）。
【０００３】
【特許文献１】
特開２００２−３８６６９号公報
【特許文献２】
特開２０００−３８８１４号公報
【０００４】
【発明が解決しようとする課題】
ところが、落ち葉避け用のネットを取り付けるために特別にクリップを用いて取り付けなければならなく、部品点数が増える上に取り付け施工に手間がかかるという問題がある。
【０００５】
本発明は上記の点に鑑みてなされたものであり、軒樋の前耳部を取り付けるための部分を兼用して落葉避け用のネットを取り付けることができる軒樋及び落葉避けの取り付け構造を提供するにある。
【０００６】
【課題を解決するための手段】
上記課題を解決するための本発明の軒樋及び落葉避けの取り付け構造は、軒樋１の前壁１ａの上端から後方に向けて突設した連出片２に断面略半円状の前耳部３を上面が平面部４になるように設け、軒先に基部を固定した軒樋吊り具５の先端に設けた上を開口せる断面略半円状の前保持凹部６内に上記前耳部３を嵌合して収納すると共に前保持凹部６の後部の上端から前方に突設した押さえ突片７を前耳部３の平面部４に係止して前耳部３を前保持凹部６に保持し、軒樋１の上面開口を覆う落ち葉避け用のネット８の前部の網目９に上記押さえ突片７を挿入して押さえ突片７にてネット８の前部を保持したことを特徴とする。このようにすることで軒樋１の前耳部３を押さえて固定するための押さえ突片７にて落ち葉避け用のネット８を保持することができ、従来のクリップのような特別な部材を用いないでもネット８を取り付けることができて部品点数を少なくすることができると共に取り付けも容易にできる。
【０００７】
また押さえ突片７をネット８の網目９に挿入するためにネット８の前部を押さえ突片７の先端と前耳部３の平面部４との間に挿通するとき押さえ突片７の先端と前耳部３の平面部４との間にネット８の線材８ａの線径より広い隙間Ｓができるように前耳部３を弾性変形可能にしたことを特徴とすることも好ましい。この場合、前耳部３を弾性変形させることによりネット８の線材８ａを押さえ突片７の先端と平面部４との間に通して押さえ突片７をネット８の網目９に挿入でき、押さえ突片７を網目９に容易に挿入できる。
【０００８】
また押さえ突片７をネット８の網目９に挿入した状態でネット８の線材８ａが押さえ突片７の先端手前の凹没部１０に収まり、押さえ突片７の先端と前耳部３の平面部４との間の隙間Ｓがネット８の線材８ａの線径より小さくなるようにしたことを特徴とすることも好ましい。押さえ突片７をネット８の網目９に完全に挿入した状態で押さえ突片７の先端と前耳部３の平面部４との間の隙間Ｓが線径より小さくなってネット８が外れないように取り付けることができる。
【０００９】
【発明の実施の形態】
軒樋１は前壁１ａと後壁１ｂと底壁（図示せず）とで構成されており、前壁１ａの上端から後方に向けて連出片２を介して前耳部３を一体に連出してあり、後壁１ｂの上端には断面略矩形状の後耳部１２を一体設けてある。この連出片１１及び前耳部３は後方に向けて連出してあるが、後方に行く程下方に下がるように傾斜させてある。前耳部３は内部が中空の断面略半円状であるが、本例の場合断面半多角形状にして略半円状に形成されている。断面略半円状の前耳部３の上面は平面部４であるが、この平面部４も後方に行く程下方に下がるように傾斜している。
【００１０】
軒樋吊り具５は図３に示すように基部である後端には軒先に取り付けるための取り付け板１７を一体に設けてあり、軒樋吊り具５の前端には前保持凹部６を一体に形成してあり、軒樋吊り具５の後端には略コ字状の後保持部１３を一体に形成してある。前保持凹部６は上面を開口せる略半円状に形成されており、前保持凹部６の後端の上端から前方に向けて押さえ突片７を突設してある。この押さえ突片７は先端程と尖るように形成されており、押さえ突片７の先端は前保持凹部６の半円の略中心位置に位置するように突設してあり、前保持凹部６の前端の上端と押さえ突片７の先端との間には開口１４を設けてある。押さえ突片７の先端の手前の下面側には上方に凹没する凹没部１０を設けてある。この前保持凹部６と押さえ突片７とは後方に行くほど下に行くように傾斜している。
【００１１】
落ち葉避け用のネット８は縦横の線材８ａを格子状に組み合わせた形状であり、合成樹脂、金属線等で形成されており、弾力性のあるものである。このネット８は軒樋１の長手方向に長い帯板状に形成されている。
【００１２】
軒樋吊り具５の取り付け板３は図１、図２に示すように軒先の鼻板１５等に固着されており、この軒樋吊り具５に次のように軒樋１が取り付けられる。図１、図２で１６は屋根下地、１８は屋根瓦のような屋根材、１９は軒先の水切り板、２０は垂木である。軒樋１の前壁１ａが略水平方向を向くように軒樋吊り具５を向けた状態で前耳部３は図４（ａ）に示すように挿入されて前耳部３の先端側の半分が前保持凹部６内に挿入され、この状態から軒樋１の前壁１ａや後壁１ｂが鉛直方向を向くように回転操作することで図４（ｂ）（ｃ）（ｄ）に示すように前耳部３が前保持凹部６に収まるように嵌合される。このとき軒樋１の後耳部１２が後保持部１３に嵌合して保持される。図４（ｄ）のように前耳部３が前保持凹部６内に収まると、前耳部３の平面部４に押さえ突片７が係止し、前耳部３に上方への力がかかっても前耳部３が外れるおそれがないように軒樋１が取り付けられる。
【００１３】
上記のように軒樋吊り具５に軒樋１を取り付けた状態で次のように落ち葉避け用のネット８が取り付けられる。軒樋１の上にネット８が配置され、ネット８の前端の線材８ａが前耳部３の平面部４と押さえ突片７の先端との間に図５に示すように挿通されて図６に示すようにネット８の網目９に押さえ突片７が挿入されて押さえ突片７にてネット８の前端が保持される。ネット８の前端の線材８ａが平面部４と押さえ突片７の先端との間に挿通されるとき、中空の前耳部３が押圧されて弾性変形させられることにより平面部４と押さえ突片７の先端との間にネット８の線材８ａの線径より大きい隙間Ｓが形成されて線材８ａをスムーズに挿通することができる。またネット８の網目９に押さえ突片７が挿通された状態で線材８ａが凹没部１０に収まり、押さえ突片７の先端と平面部４との間の隙間Ｓが線材８ａの線径以下になり、ネット８の網目９が押さえ突片７から抜けてネット８が外れるのを防止できる。
【００１４】
このようにネット８の前端部を押さえ突片７に取り付けた状態でネット８を図１のように丸めてネット８の後部を水切り板１９に弾接させてネット８を丸めた状態を保持する。このようにネット８を装着した状態ではネット８にて落ち葉等が受けられ、軒樋１内に落ち葉等が入るおそれがない。掃除等の軒樋１のメンテナンスのときは図２のようにネット８の後部を前方に引っ張り出してネット８を広げて上方に向けて立てる。
【００１５】
【発明の効果】
本発明の請求項１の発明は、軒先に基部を固定した軒樋吊り具の先端に設けた上を開口せる断面略半円状の前保持凹部内に前耳部を嵌合して収納すると共に前保持凹部の後部の上端から前方に突設した押さえ突片を前耳部の平面部に係止して前耳部を前保持凹部に保持し、軒樋の上面開口を覆う落ち葉避け用のネットの前部の網目に上記押さえ突片を挿入して押さえ突片にてネットの前部を保持したので、軒樋の前耳部を押さえて固定するための押さえ突片にて落ち葉避け用のネットを保持することができるものであって、従来のようにクリップのような特別な部材を用いないでもネットを取り付けることができて部品点数を少なくすることができると共に取り付けも容易にできるものである。
【００１６】
また本発明の請求項２の発明は、請求項１において、押さえ突片をネットの網目に挿入するためにネットの前部を押さえ突片の先端と前耳部の平面部との間に挿通するとき押さえ突片の先端と前耳部の平面部との間にネットの線材の線径より広い隙間ができるように前耳部を弾性変形可能にしたので、前耳部を弾性変形させることによりネットの線材を押さえ突片の先端と平面部との間に通して押さえ突片をネットの網目に挿入でき、押さえ突片を網目に容易に挿入できるものである。
【００１７】
また本発明の請求項３の発明は、請求項１において、押さえ突片をネットの網目に挿入した状態でネットの線材が押さえ突片の先端手前の凹没部に収まり、押さえ突片の先端と前耳部の平面部との間の隙間がネットの線材の線径より小さくなるようにしたので、押さえ突片をネットの網目に完全に挿入した状態で押さえ突片の先端と前耳部の平面部との間の隙間が線径より小さくなってネットが外れないように取り付けることができるものである。
【図面の簡単な説明】
【図１】本発明の実施の形態の一例の落ち葉避け用のネットを取り付けた状態の断面図である。
【図２】同上の落ち葉避け用のネットを引っ張り出した状態の断面図である。
【図３】同上の軒樋吊り具の斜視図である。
【図４】（ａ）（ｂ）（ｃ）（ｄ）は同上の前耳部を前保持凹部に保持する状態を説明する断面図である。
【図５】同上の落ち葉避け用のネットを取り付ける途中の断面図である。
【図６】同上の落ち葉避け用のネットを取り付けた状態の断面図である。
【符号の説明】
１  軒樋
１ａ  前壁
２  連出片
３  前耳部
４  平面部
５  軒樋吊り具
６  前保持凹部
７  押さえ突片
８  ネット
８ａ  線材
９  網目
【図１】
2004232239.tif 000003
【図２】
2004232239.tif 000004
【図３】
2004232239.tif 000005
【図４】
2004232239.tif 000006
【図５】
2004232239.tif 000007
【図６】
2004232239.tif 000008